(57)【要約】【課題】押し花の配置等を自由になしながら制約なく心のこもった美を創作でき、手間がかからなく制作が容易であって、しかも、コスト安となる押し花で装飾した装身具の製造方法およびそれに使用する押し花セットを提供する。【解決手段】樹脂粘土を練り固めて装飾の基本となる花台を作り、その花台を乾燥させてから、その上に押し花を配置しながら接着剤で定着させ、さらに、花台と押し花の両表面にわたって透明または半透明の樹脂液を塗布してコーティングを施し、コーティングをすることによりその下の押し花が透けて見えるようにした。【選択図】    図１
2009082650.tif 000002
【特許請求の範囲】
【請求項１】
樹脂粘土を練り固めて装飾の基本となる花台を作り、その花台を乾燥させてから、その上に押し花を配置しながら接着剤で定着させ、さらに、花台と押し花の両表面にわたって透明または半透明の樹脂液を塗布してコーティングを施し、コーティングをすることによりその下の押し花が透けて見えるようにすることを特徴とする押し花で装飾した装身具の製造方法。
【請求項２】
製造する装身具がペンダントの場合であって、樹脂粘土でペンダントの花台を円盤状に形成し、それが柔らかいうちにその一端部に穴を設け、乾燥した花台表面とその上に定着させた押し花の両方にわたってコーティングを施し、穴に頸かけの紐やチェーンを通してペンダントとすることを特徴とする請求項１記載の押し花で装飾した装身具の製造方法
【請求項３】
少なくとも、装身具の花台を作る材料となる包装された樹脂粘土と、作った花台の上に押し花を定着する接着剤入りチューブと、花台と押し花の両表面にわたってコーティングを施す樹脂液のチューブとを共に包装してなることを特徴とする押し花で装飾した装身具の製造方法に使用する押し花セット。
【発明の詳細な説明】
【技術分野】
【０００１】
この発明は、押し花で装飾できる盤状等の花台部を有する装身具、例えば、直接身に付けるペンダントやブローチ、イヤリング、ブレスレット、指輪、マフラ止め等の装身具（身飾品）を、さらには携帯電話やハンドバック、ランドセル等の携帯品に吊り下げる装身具など多種多様に使える装身具を、押し花により装飾して製造する方法に関し、加えて、その製造に使用する押し花セットに関する。
【背景技術】
【０００２】
押し花により装飾した装身具の従来例としては、特許文献１にブローチ等を作る提案がなされている。これによると、表面がわん曲面となり裏面が広く開口する中空（容器状）の透明枠を使用するもので、透明枠の中空部は押し花を入れる大小幾つかの凹部に仕切られている。
【０００３】
制作の手順については、開口する裏面を上向きに保持しながら凹部毎に透明な硬化性の合成樹脂液を注入した状態において、各凹部の樹脂液の上にピンセットで押し花を下向きに置き、それが動かなくなる程度に合成樹脂液が不完全に硬化した状態において、再び残りの合成樹脂液を透明枠に注入し、それが硬化してから開口部としての上部に着色した同じく硬化性の合成樹脂液を流し込み、その硬化により裏面層を形成して仕上げるものである。この裏面層が脱出しないように固定するために、透明枠の開口縁には裏面層が食い込む切り溝が形成されていた。
【特許文献１】特開平８−１３２８００
【発明の開示】
【発明が解決しようとする課題】
【０００４】
上記のように、従来の押し花で装飾した装身具の製造方法によれば、装身具を作る主要部材として、外観を構成する本体としての透明枠を使用するものであるため、外観の形状がこれによって確定されるばかりでなく、大小凹部の位置により押し花の大きさや配置も確定される。このように確定要素が多いために、これによって創造する広がりが制約されることから、心の通わない規格的なデザインとなり、また、デザインの自由性に欠けるため、例えば、小学生が作る場合のことを考えると、美的感性を養うことができなく、また、教える側にすると、「このように配置すると美しく見える」というように、美の基本的要素を教えるのにも制約があるという問題があった。
【０００５】
また、制作中には幾度も合成樹脂液が硬化するのを待つ必要があり、加えて、押し花の下から気泡を取り除く手間がかかる等、手数と制作日数がかかり、しかも、透明枠が合成樹脂の成形品であって複雑な形状でコスト高となるため、安価な提供に適しなかった。
【０００６】
この発明は、上記のような実情に鑑みて、押し花の配置等を自由になしながら制約なく心のこもった美を創作でき、手間がかからなく制作が容易であって、しかも、コスト安となる押し花で装飾した装身具の製造方法およびそれに使用する押し花セットを提供することを課題とした。
【課題を解決するための手段】
【０００７】
上記の課題を解決するために、この発明は、樹脂粘土を練り固めて装飾の基本となる花台を作り、その花台を乾燥させてから、その上に押し花を配置しながら接着剤で定着させ、さらに、花台と押し花の両表面にわたって透明または半透明の樹脂液を塗布してコーティングを施し、コーティングをすることによりその下の押し花が透けて見えるようにすることを特徴とする押し花で装飾した装身具の製造方法を提供するものである。
【０００８】
上記の構成によれば、装飾の基材となる花台は、樹脂粘土で練り固めて自由な形状に手軽に形成できることはもちろん、それを乾燥してから上に押し花を定着するときには、まず、仮置きしてデザインを考え、それから接着するので、その間に美的思考が働き美感覚が養われる。また、コーティングを施すことにより、押し花が透けて見え、色彩がはっきりと見え、さらに外気の進入を防止でき、退色を防止できると共に、水に強く、損傷をも防ぐことができる。
【０００９】
また、この発明は、少なくとも、装身具の花台を作る材料となる包装された樹脂粘土と、作った花台の上に押し花を定着する接着剤入りチューブと、花台と押し花の両表面にわたってコーティングを施す樹脂液のチューブとを共に包装してなることを特徴とする押し花で装飾した装身具の製造方法に使用する押し花セットを提供するものである。
【発明の効果】
【００１０】
以上説明したように、この発明によれば、押し花の配置等を自由になしながら制約なくオリジナルな装身具を美的に作ることができ、自分をお洒落に着飾ることができることはもちろん、心のこもったプレゼントとして喜んで受け入れられる装身具を自作でき、また、制作が手頃に容易であって老人ホームや学校、趣味の教室等で安価に制作できるという優れた効果がある。
【００１１】
また、押し花セットによれば、それらを適当に使って装身具を自由かつ安価に制作でき、老人ホームや学校、趣味の教室等で使用する教材として正に最適である。
【発明を実施するための最良の形態】
【００１２】
図１ないし図５は、「簡単に自分でアレンジして好みの物が作れる自分流押し花台、老若男女を問わず挑戦できるペンダント」を作る実施形態を示したもので、そのうち、図１は、樹脂粘土１からペンダントの花台３を作った説明をなし、図２はその作る要領を示している。
【００１３】
手の平の汗、水分をきれいに拭き取り樹脂粘土１を好みの大きさに千切り１０回位こねる。手の平でくるくる５，６回まるめて玉を作り、玉が出来たら固定板５の上に置き透明板７でギュと押し好みの大きさに押し込み型づける。透明板７を上げると花台３の上面（前面）が弾性により盛り上がるが、このように型づけられた玉は手の平で優しく２，３回包み込むと、なだらかな表面になり滑らかに仕上がる。花台３の柔らかいうちに紐やチェーンを通す穴９をあける。この場合は、爪楊枝でくるくる回しながら穴９を明けることができる。３日間自然乾燥させると押し花は縮まないが、急ぎの場合は、冷蔵庫に１日入れておいて取り出し、自然乾燥されると２日で仕上がる。花台３ができたら押し花１１を押す。
【００１４】
なお、押し花１１については、この場合は、野原や野山で採ってきたものを乾燥して使用した。図３が採ってきたものの例である。
【００１５】
花台３ができたらまずその花台３に押し花１１を一度仮に配置してみる。そうしてデザインが決まったらチューブ１４から出した押し花用の接着剤１３で押し花１１を好みでお洒落に接着して定着させる。
【００１６】
接着によりデザインした押し花ペンダントに、チューブ１８から出して押し花専用の樹脂液１７の少量を、押し花の表面に指で、表面を薄く満遍なく塗ってコーティング１９を施して仕上げる（図４）。その後は自然乾燥させて身に付ける。身体に優しいおしゃれなペンダントＰになり、これに紐２１やチェーンを通して出来上がりとなる（図５）。なお、この場合は穴９に金環２２が取り付けられる。いずれにしても、こうして、気軽に簡単に自分流押し花ペンダント作品が老人ホームや学校、趣味の教室で安価に制作できる。
【００１７】
今までは押し花製品は、メーカーを通さないと購入できないため高価につき気軽に制作できなかった。この押し花ペンダントＰは、安価に万人に制作でき自然の花の良さをひきだし、色落ちしない、長持ちする、おしゃれ場にも着用できる、というようにお洒落なオリジナル品である。大胆で上品な雰囲気、既製品では生まれない手作りの深い味わいと温かみが感じられる。
【００１８】
上記の実施形態では、山野から採取した草花を乾燥した押し花１１を使用した場合であるが、図６に示すような既製の押し花シートＳを使用できる。これによれば、野山の草花の採取ができない場合に、これをを利用できる。その構造について説明すると、接着による二枚合わせの透し紙の間に多数の乾燥した押し花１１，１１，・・が挟まれており、その裏面に粘着剤２５が粘着され、その上に剥離紙２７が貼り合わせてある。
【００１９】
押し花シートＳを使用するときには、目的の押し花１１を有する箇所を切り取り、切り取った部分の剥離紙２７を除去して花台３の上に粘着する。それから、チューブ１８から樹脂液１７を花台の上に延ばしてコーティング１９を施す。
【００２０】
図７は、老人ホームや学校、趣味の教室等で生徒等に教材として提供する押し花セットＴの一例を示したもので、プラスチックフィルムのチューブに包装された樹脂粘土１、接着剤１３入りチューブ１４、樹脂液１７入りのチューブ１８を１セットとしてケース２０に入れて提供する場合を示したものである。しかし、その他に、前記した固定板５や透明板７の他、既製の押し花シートＳをセットに同時に組み込むこともある。つまり、同図は最小限を示したものである。
【００２１】
なお、ブローチ、イヤリング、ブレスレット、指輪、マフラ止め等、他の装身具（身飾品）についても、花台の形状が異なるものの、ほゞ同様にして装飾して作ることができる。なお、上記実施形態では、花台３が樹脂粘土１だけで作られているが、花台３を基板（基枠）の上に形成することもある。
【図面の簡単な説明】
【００２２】
【図１】この発明の押し花で装飾した装身具の製造方法を説明するペンダントの花台の斜視図である。
【図２】樹脂粘土からペンダントの花台を作る要領を示す断面図である。
【図３】野山で採取する押し花の種類を示す平面図である。
【図４】ペンダントの装飾を仕上げる段階の工程を示す拡大した断面説明図である。
【図５】出来上がったペンダントの一部切欠した斜視図である。
【図６】既製の押し花シートを一部剥離して示す斜視図である。
【図７】押し花セットの一例を示す平面図である。
【符号の説明】
【００２３】
Ｐ  装身具としてのペンダント
Ｓ  押し花シート
Ｔ  押し花セット
１  樹脂粘土
３  花台
９  穴
１１  押し花
１３  接着剤
１４  接着剤入りチューブ
１７  コーティング用樹脂液
１８  樹脂液入りチューブ
１９  コーティング
２０  押し花セットの包装用ケース
２１  紐
２２  金環
２５  粘着剤
２７  剥離紙
【図１】
2009082650.tif 000003
【図２】
2009082650.tif 000004
【図３】
2009082650.tif 000005
【図４】
2009082650.tif 000006
【図５】
2009082650.tif 000007
【図６】
2009082650.tif 000008
【図７】
2009082650.tif 000009